(57)【要約】【課題】  新規な見栄えを実現し得る車両用表示装置を提供する。【解決手段】  ユーザに対してスピードメータ画像１２並びにタコメータ画像１３を画像として表示可能な画像表示装置１０と、この画像表示装置１０の動作を制御する制御手段３０とを備えた車両用表示装置において、画像表示装置１０の画面１１上に重ねて配置されるタッチパネル２０を備え、制御手段３０は、ユーザがスピードメータ画像１２の表示領域に対応するタッチパネル２０箇所を２本の指でジェスチャー操作することに伴う操作信号を受信すると、この操作信号に基づいてスピードメータ画像１２を拡大表示させる。【選択図】図４
2012108385.tif 000002
【特許請求の範囲】
【請求項１】
ユーザに対して所定の車両情報を画像として表示可能な画像表示装置と、前記画像表示装置の動作を制御する制御手段とを備えた車両用表示装置において、
前記画像表示装置の画面上に重ねて配置されるタッチパネルを備え、
前記制御手段は、前記ユーザが前記車両情報の表示領域に対応する前記タッチパネル箇所を操作することに伴う操作信号を受信すると、前記操作信号に基づいて前記車両情報の表示形態を変化させることを特徴とする車両用表示装置。
【請求項２】
ユーザに対して所定の車両情報を画像として表示可能な画像表示装置と、前記画像表示装置の動作を制御する制御手段とを備えた車両用表示装置において、
前記ユーザの発する音声を入力する音声入力部と、
前記音声入力部により入力された音声を認識する音声認識部とを備え、
前記制御手段は、前記音声認識部からの認識結果に基づいて前記車両情報の表示形態を変化させることを特徴とする車両用表示装置。
【発明の詳細な説明】
【技術分野】
【０００１】
本発明は、ユーザに対して所定の車両情報を画像として表示可能な画像表示装置と、この画像表示装置の動作を制御する制御手段とを備えた車両用表示装置に関するものである。
【背景技術】
【０００２】
従来より、この種の車両用表示装置にあっては、例えば下記特許文献１に記載されているものが知られている。この特許文献１に記載の車両用表示装置は、ユーザに対して走行情報からなる車両情報を画像として表示可能な液晶表示パネル等からなる画像表示装置と、この画像表示装置の動作を制御するマイクロコンピュータやグラフィックコントローラを含む制御手段とを備えている。
【０００３】
この場合、前記走行情報は、車両の走行速度を指針式画像として表示する第１計器画像と、車両のエンジン回転数を指針式画像として表示する第２計器画像とで構成され、第１計器画像と第２計器画像とは互いに隣接するように画像表示装置に表示された状態となっている。
【先行技術文献】
【特許文献】
【０００４】
【特許文献１】特開２００７−１６０９９５号公報
【発明の概要】
【発明が解決しようとする課題】
【０００５】
ところで、上述した特許文献１に記載の車両用表示装置の場合、車両走行時において、画像表示装置上に前述した第１、第２計器画像が常時、表示される構成となっているが、これら第１、第２計器画像は、その表示形態が何ら変化することがないため、面白みがなく単調な見栄えとならざるを得なかった。
そこで本発明は、前述の課題に対して対処するため、新規な見栄えを実現し得る車両用表示装置の提供を目的とするものである。
【課題を解決するための手段】
【０００６】
本発明は、ユーザに対して所定の車両情報を画像として表示可能な画像表示装置と、前記画像表示装置の動作を制御する制御手段とを備えた車両用表示装置において、前記画像表示装置の画面上に重ねて配置されるタッチパネルを備え、前記制御手段は、前記ユーザが前記車両情報の表示領域に対応する前記タッチパネル箇所を操作することに伴う操作信号を受信すると、前記操作信号に基づいて前記車両情報の表示形態を変化させることを特徴とする。
【０００７】
また本発明は、ユーザに対して所定の車両情報を画像として表示可能な画像表示装置と、前記画像表示装置の動作を制御する制御手段とを備えた車両用表示装置において、前記ユーザの発する音声を入力する音声入力部と、前記音声入力部により入力された音声を認識する音声認識部とを備え、前記制御手段は、前記音声認識部からの認識結果に基づいて前記車両情報の表示形態を変化させることを特徴とする。
【発明の効果】
【０００８】
本発明によれば、初期の目的を達成でき、新規な見栄えを実現し得る車両用表示装置を提供できる。
【図面の簡単な説明】
【０００９】
【図１】本発明の第１実施形態による車両用表示装置の電気的構成を示すブロック図。
【図２】同実施形態によるユーザによるジェスチャー操作が行われる前の画像表示装置の正面図。
【図３】（ａ）はユーザによるジェスチャー操作前の２本の指とスピードメータ画像とを示す図であり、（ｂ）はユーザによるジェスチャー操作後の２本の指とスピードメータ画像とを示す図である。
【図４】同実施形態によるユーザによるジェスチャー操作が行われた後の画像表示装置の正面図。
【図５】本発明の第２実施形態による車両用表示装置の電気的構成を示すブロック図。
【発明を実施するための形態】
【００１０】
（第１実施形態）以下、図１〜図４に基づいて本発明の実施形態を例えば車両に搭載された車両用計器に適用した場合を例に挙げて説明する。
【００１１】
図１において、本実施形態による車両用表示装置としての車両用計器は、画像表示装置１０と、タッチパネル２０と、制御手段３０と、入力端子４０とから主に構成されている。
【００１２】
画像表示装置１０は、例えばユーザ（車両の利用者）に対して所定の車両情報を画像として表示可能な液晶表示パネルや有機ＥＬパネルからなるフラットパネルディスプレイを適用することができ、本例では、車両の運転席に着座している運転者（利用者）の前方となる車内の適宜箇所（例えばインストルメントパネル）に設置（配設）されているものとする。例えば、画像表示装置１０は、運転者の手が届く位置となるインストルメントパネル箇所に設置されていることが望ましい。
【００１３】
なお、画像表示装置１０は、図２に示すように、その画面１１上にて、例えば車両の走行速度を指針式画像として表示する前記車両情報としてのスピードメータ画像（第１計器画像）１２と、車両のエンジン回転数を指針式画像として表示する前記車両情報としてのタコメータ画像（第２計器画像）１３とを表示可能に構成されている。
【００１４】
スピードメータ画像１２並びにタコメータ画像１３は、ともに機械式の指針計器を模した画像となっており、制御手段３０による制御のもと、入力端子４０を通じて入力する車速情報、回転数情報に応じた値を指示するようになっている。
【００１５】
なお、スピードメータ画像１２は、図２中、画像表示装置１０の左方側に表示され、線状に延びる第１指針１２ａと、この第１指針１２ａの作動範囲に表示され、第１指針１２ａによって指示される数字、目盛等からなる第１指標部１２ｂとを有し、またタコメータ画像１３は、図２中、画像表示装置１０の右方側に表示され、線状に延びる第２指針１３ａと、この第２指針１３ａの作動範囲に表示され、第２指針１３ａによって指示される数字、目盛等からなる第２指標部１３ｂとを有している。
【００１６】
タッチパネル２０は、例えば透明な合成樹脂シートにユーザのタッチ（操作）に応じて操作信号を出力する電極を形成する透明体であり、例えば抵抗膜方式や静電容量方式等のタッチパネルを適用することができる。
【００１７】
かかるタッチパネル２０は、画像表示装置１０の画面１１上に重ねて配置され、例えばユーザがスピードメータ画像１２（あるいはタコメータ画像１３）の表示領域に対向（対応）するタッチパネル２０箇所を操作することに伴う前記操作信号が制御手段３０の後述するマイクロコンピュータに入力される。
【００１８】
例えば、図３（ａ）に示すようにユーザの親指５１と人差し指５２をくっつけた状態で、スピードメータ画像１２の表示領域に対向するタッチパネル２０箇所をタッチした後、図３（ｂ）に示すように親指５１と人差し指５２との当接状態を解除するように（換言すれば親指５１と人差し指５２とを所定距離だけ離間させるように）両指５１、５２をタッチパネル２０上に沿い移動させることで、スピードメータ画像１２を拡大表示させるべく、両指５１、５２の間の離間寸法（離間距離）に応じた前記操作信号が制御手段３０（前記マイクロコンピュータ）に入力される。
【００１９】
制御手段３０は、例えばＲＯＭ、ＲＡＭ、不揮発性メモリやフラッシュメモリ等の記憶素子を含むマイクロコンピュータ３１と、このマイクロコンピュータ３１からの指令信号に応じて画像表示装置１０の動作を制御するグラフィックコントローラ３２とからなる。
【００２０】
マイクロコンピュータ３１は、入力端子４０を通じて入力する前記車速情報、前記回転数情報を処理し、グラフィックコントローラ３２を通じて画像表示装置１０に表示させるスピードメータ画像１２並びにタコメータ画像１３を制御する。
【００２１】
以下、図２に示すようにタッチパネル２０付きの画像表示装置１０にスピードメータ画像１２並びにタコメータ画像１３が通常表示されている状態において、スピードメータ画像１２の大きさを前記通常表示よりも大きくしたい場合（つまりスピードメータ画像１２の拡大表示を行う場合）について説明する。なお、タコメータ画像１３の拡大表示については、スピードメータ画像１２の場合と同様であるため、ここでの説明は省略する。
【００２２】
この場合、まず、ユーザが、ユーザの親指５１と人差し指５２をくっつけた状態で、スピードメータ画像１２の表示領域に対向するタッチパネル２０箇所をタッチし（図３（ａ））、その後、図３（ｂ）に示すように親指５１と人差し指５２とを離間させるように両指５１、５２（親指５１と人差し指５２）をタッチパネル２０上に沿い移動させることで、両指５１、５２の間の前記離間距離に応じた前記操作信号をマイクロコンピュータ３１が受信するようになっている。
【００２３】
マイクロコンピュータ３１は、このようにユーザがスピードメータ画像１２の表示領域に対向するタッチパネル２０箇所を２本の指５１、５２でジェスチャー操作することに伴う前記操作信号を受信すると、前記操作信号に基づいてスピードメータ画像１２を拡大表示させる（つまりスピードメータ画像１２の表示形態を変化させる）べく、グラフィックコントローラ３２に前記指令信号である拡大表示指示信号を出力する。
【００２４】
例えば、マイクロコンピュータ３１は、２本の指５１、５２を利用したジェスチャー操作に伴い前記離間距離の寸法が２０ミリメートルであれば、当該寸法が２０ミリメートルであることを示す前記操作信号を受信し、かかる操作信号に基づいてスピードメータ画像１２の大きさを所定の拡大倍率（例えば前記通常表示の１．２倍の大きさ）で表示させるべく、グラフィックコントローラ３２に前記拡大表示指示信号を出力する。
【００２５】
グラフィックコントローラ３２は、前記拡大表示指示信号を受けて、スピードメータ画像１２の拡大描画処理を実行し、これによりスピードメータ画像１２のみが、図３（ａ）中、スピードメータ画像１２の中心点Ｃ（つまり第１指針１２ａの回転中心）を中心として、例えば前記通常表示の１．２倍の大きさを有するように拡大表示される（図４参照）。
【００２６】
以上のように本実施形態では、ユーザに対してスピードメータ画像１２並びにタコメータ画像１３を画像として表示可能な画像表示装置１０と、この画像表示装置１０の動作を制御する制御手段３０とを備えた車両用表示装置において、画像表示装置１０の画面１１上に重ねて配置されるタッチパネル２０を備え、制御手段３０は、ユーザがスピードメータ画像１２の表示領域に対応するタッチパネル２０箇所を２本の指５１、５２でジェスチャー操作することに伴う前記操作信号を受信すると、前記操作信号に基づいてスピードメータ画像１２を拡大表示させる（スピードメータ画像１２の表示形態を変化させる）ことにより、タッチパネル２０上でのユーザのジェスチャー操作に応じて、第１計器画像であるスピードメータ画像１２の表示形態が変化するので、面白みのある新規な見栄えを実現することが可能となる。
【００２７】
また本実施形態では、親指５１と人差し指５２とをくっつけた状態で両指５１、５２をスピードメータ画像１２にタッチした後、両指５１、５２（親指５１と人差し指５２）を離間させるように親指５１と人差し指５２をタッチパネル２０上に沿い移動させることで、スピードメータ画像１２を拡大表示させる例について説明したが、これとは逆に、親指５１と人差し指５２とを離した状態で親指５１または人差し指５２のうち少なくとも一方をスピードメータ画像１２（あるいはタコメータ画像１３）にタッチした後、前記離間距離を小さくするように親指５１と人差し指５２をタッチパネル２０上に沿い移動させることで、スピードメータ画像１２（あるいはタコメータ画像１３）を縮小表示させる構成としてもよい。なお、縮小表示させる場合、スピードメータ画像１２は、ユーザが視認可能な大きさ以下には、縮小表示されないことが望ましい。
【００２８】
また本実施形態では、ユーザの２本の指５１、５２を利用してスピードメータ画像１２またはタコメータ画像１３を拡大表示（または縮小表示）させる例について説明したが、例えばユーザの１本の指（人差し指５２等）を利用してスピードメータ画像１２またはタコメータ画像１３の表示位置を変化させるようにしてもよい。
【００２９】
この場合、制御手段３０は、ユーザがスピードメータ画像１２（またはタコメータ画像１３）の表示領域に対応するタッチパネル２０の第１領域（図示省略）を人差し指５２等でタッチ操作した後、人差し指５２が前記第１領域から前記第１領域とは異なるタッチパネル２０の第２領域（図示省略）に向けてタッチパネル２０上を移動する操作信号を受信し、この操作信号に基づいて、人差し指５２の前記第１領域から前記第２領域への移動に連動するようにスピードメータ画像１２（またはタコメータ画像１３）の表示位置を追従（変化）させる制御を行う。
【００３０】
また本実施形態では、ユーザがスピードメータ画像１２（あるいはタコメータ画像１３）に対応するタッチパネル２０箇所を指で操作することに伴い、スピードメータ画像１２（あるいはタコメータ画像１３）の表示倍率の大きさや表示位置が変化するものであったが、例えば制御手段３０は、タコメータ画像１３に対応するタッチパネル２０箇所を人差し指５２等で、ばつ印（×という印）でなぞったことを示す操作信号を受信した際に、この操作信号に基づいてタコメータ画像１３の表示を消去する制御を行うようにしてもよい。
【００３１】
このようにタコメータ画像１３の表示を消去する場合、詳細図示は省略するが、制御手段３０の出力側に（アンプを介して）音声を発するスピーカ等の発音体を接続し、タコメータ画像１３の表示が消去された後、制御手段３０は、前記回転数情報に基づいて発音体に対し発音体駆動信号を出力し、発音体から発せられる音声を利用して、ユーザに対し所定の時間毎に車両のエンジン回転数情報を知らせるようにしてもよい。
【００３２】
（第２実施形態）次に、本発明の第２実施形態を図５に基づいて説明するが、前述の第１実施形態と同一もしくは相当個所には同一の符号を用いてその詳細な説明は省略する。この第２実施形態が前記第１実施形態と異なる点は、画像表示装置１０の画面１１上に重ねて配置されていたタッチパネル２０を廃止し、運転席に着座しているユーザの発する音声を入力する音声入力部６０と、この音声入力部６０により入力された音声を識別する音声識別部７０とを設け、制御手段３０は、音声識別部７０からの認識結果に基づいてスピードメータ画像１２（あるいはタコメータ画像１３）の表示形態（表示倍率や表示位置等）を変化させる点にある。
【００３３】
音声入力部６０は、例えばユーザの発する音声（音声データ）を入力可能なように車両内の適宜箇所に配設されたマイクロフォンからなる。また、音声識別部７０は、音声入力部６０からの音声データを識別する機能を有しており、例えば音声入力部６０からの音声データをコード化して音声コマンドとして制御手段３０（マイクロコンピュータ３１）に出力する。
【００３４】
マイクロコンピュータ３１は、音声識別部７０からの認識結果（前記音声コマンド）に基づいて、グラフィックコントローラ３２に対し所定の指令信号を出力する制御を行う。例えば「スピードメータ大きく」なる音声が音声入力部６０に入力された場合には、マイクロコンピュータ３１は、「スピードメータ大きく」なる音声データに対応した音声コマンドに基づいて、スピードメータ画像１２を所定の拡大倍率（例えば前記第１実施形態の場合と同様に通常表示の１．２倍の大きさ）にて拡大表示させるべく、グラフィックコントローラ３２に対し前記指令信号である拡大表示指令信号を出力する制御を行う。
【００３５】
グラフィックコントローラ３２は、前記拡大表示指示信号を受けて、スピードメータ画像１２の拡大描画処理を実行し、これによりスピードメータ画像１２が、前述した第１実施形態と同様に例えば前記通常表示の１．２倍の大きさを有するように拡大表示され、前記第１実施形態と同様の作用効果を得ることができる。
【００３６】
また本第２実施形態では、「スピードメータ大きく」なる音声データに基づいて制御手段３０による制御のもと、スピードメータ画像１２が拡大表示される例について説明したが、例えば「タコメータ大きく」なる音声データに基づいて制御手段３０による制御のもと、タコメータ画像１３が拡大表示される構成としてもよいし、「スピードメータ小さく」や「タコメータ小さく」なる音声データに基づいて制御手段３０による制御のもと、スピードメータ画像１２やタコメータ画像１３が縮小表示される構成としてもよい。さらには、「スピードメータ上」なる音声データに基づいて制御手段３０による制御のもと、スピードメータ画像１２を現在の表示位置よりも上側に移動させる構成としてもよい。
【００３７】
なお前記各実施形態では、画像表示装置１０の画面１１上に機械式の指針計器を模したスピードメータ画像１２とタコメータ画像１３とが表示されている例について説明したが、例えばデジタル式のスピードメータ画像１２とタコメータ画像１３に置き換えることも可能であり、さらにはタコメータ画像１３に代えてタコメータ画像１３以外の各種車両情報を表示させてもよい。前記各種車両情報としては燃料計や水温計、燃費表示、警告表示、インジケータ表示、時刻表示等が挙げられる。
【符号の説明】
【００３８】
１０    画像表示装置
１１    画面
１２    スピードメータ画像（第１計器画像）
１２ａ  第１指針
１２ｂ  第１指標部
１３    タコメータ画像（第２計器画像）
１３ａ  第２指針
１３ｂ  第２指標部
２０    タッチパネル
３０    制御手段
３１    マイクロコンピュータ
３２    グラフィックコンピュータ
４０    入力端子
５１    親指
５２    人差し指
Ｃ    中心点
【図１】
2012108385.tif 000003
【図２】
2012108385.tif 000004
【図３】
2012108385.tif 000005
【図４】
2012108385.tif 000006
【図５】
2012108385.tif 000007